(57)【要約】【課題】ラインに合わせ易くする為にヘッドに設けられるラインと平行な一定の長さの縦線及び、その線を設ける為のヘッドの構造線の向きが、スイング中にライン方向に対し傾くことにより、ヘッドの揺れが感じられる。【解決手段】ヘッドの背面側２５が山形形状のヘッド上面２１に設けられた扇状の内マーク付き下地マーク５１ｂには、マークの下地色に対し目立つ配色からなる縦線３１とアドレス時においてライン９０方向に対し斜め向きの外形線６６ａ構成の変形菱形状のリングマーク４５ｅが設けられ、スイング時においてライン９０方向に対する縦線３１の傾きをリングマーク４５ｅの目立ち方の大きさにより、ぼかす作用を働かせヘッドの揺れる感じを抑制している。【選択図】        図１ 
2006021025.tif 000002
【特許請求の範囲】
【請求項１】
ゴルフクラブのパターのヘッドには、ヘッドのフェース直角にヘッドのインパクトエリアの中心を通り、フェースから背面端部間に通り芯となるライン方向を示すライン軸が形成された一定の大きさの縦幅を有する任意の形状のヘッド上面で、そのライン軸上の略縦長さ間に渡って直線状で細い帯状の縦線と、前記縦線を両側から挟む状態で設け、かつ前記縦線と非平行な外形形状を有する任意の広さと形状の縦線のぼかしマークを具備するパター。
（図１３、図１４、図１６参照）
【請求項２】
前記ヘッド上面に設けられるぼかしマークの外形形状は、前記ライン軸方向に長い縦長マークで、そのマークの横幅は、一端の広い横幅からもう一端側に向って小さくなる構成で形成されたことを特徴とする請求項１記載のパター。（図１３参照）
【請求項３】
前記ヘッド上面に設けられるぼかしマークの外形形状は、前記ライン軸方向に長い縦長マークで、そのマークの横幅は、両端の狭い横幅から中央側に向かって広くなる構成で形成されたことを特徴とする請求項１記載のパター。（図１４参照）
【請求項４】
前記ヘッド上面に設けられるぼかしマークの外形形状は、任意の線幅を有する任意の形状のリング状の形状で設けられたことを特徴とする請求項１〜３のいずれか１項に記載のパター。
（図１７〜図１９参照）
【請求項５】
前記ヘッド上面に設けられるリングマークの形状は、直角にクロスする対角線を有する菱形状のリングマークで、その菱形の一方の対角線を前記ライン軸上に重ね合せた配置で設けられたことを特徴とする請求項１又４記載のパター。
（図１９、図２０、図３４、図３７、図３８参照）
【請求項６】
前記ヘッド上面に設けられるぼかしマークは、大きさの異なる複数のマークが、前記ライン軸上に縦長く並べられて設けられたことを特徴とする請求項１〜５のいずれか１項に記載のパター。（図１５、図２１、図２２、参照）
【請求項７】
前記ヘッド上面に設けられるマークの形状は、大きさの異なる円形状のマークが複数並べて設けられたことを特徴とする請求項１又６のいずれか１項に記載のパター。（図１５参照）
【請求項８】
前記ヘッド上面の縦線を挟んだ両側に設けられるぼかしマークの形状は、一定の太い線幅からなるＶ字形状のＶ字マークで、前記縦線方向に対してＶ字状になる構成で設けられたことを特徴とする請求項１記載のパター。（図２３、図３５参照）
【請求項９】
前記ヘッド上面の縦線を挟んだ両側に設けられるぼかしマークの形状は、任意の形状の線幅からなるハの字形状のハの字マークで、前記縦線の一方方向に向ってハの字状となる構成で設けられたことを特徴とする請求項１記載のパター。（図２５、図２６参照）
【請求項１０】
前記ヘッド上面に設けられるぼかしマークは、任意の縦間隔で複数並べて設けられたことを特徴とする請求項１又は８又は９のいずれか１項に記載のパター。（図２４、図３６参照）
【請求項１１】
前記ヘッド上面に設けられるマークは、任意の横幅とヘッドの縦幅間の略全長に渡った縦長さの任意の形状の広い広さの下地マークで、その下地マーク内には前記縦線とぼかしマークの略全体が納置状態に配置されたことを特徴とする請求項１〜１０のいずれか１項に記載のパター。        
（図２７〜図３８参照）
【請求項１２】
前記ヘッド上面に設けられる広い広さの下地マークは、狭い横幅の一方側から前記ライン軸上をもう一方側に向って広がる一定の広い広さの扇形形状の下地マークが設けられたことを特徴とする請求項１〜１１のいずれかに記載のパター。（図２７〜図３０参照）
【請求項１３】
前記ヘッド上面に設けられる広い広さの下地マーク形状は、直角にクロスする対角線を持つ四角形状の下地マークからなり、前記二つの対角線の内、一方の対角線を前記ライン軸上に重ねる配置の構成で設けられたことを特徴とする請求項１〜１１のいずれかに記載のパター。
（図３１参照）
【請求項１４】
前記四角形状の下地マークは、菱形形状の下地マーク構成になったことを特徴とする請求項１〜１１又は１３のいずれかに記載のパター。（図３２、図３３参照）
【請求項１５】
前記ヘッド上面に設けられるぼかしマークは着色して形成され、少なくとも縦線とぼかしマークの色は下地マークの地肌の色と異なる色で着色されたことを特徴とする請求項１〜１４のいずれか１項に記載のパター。
【請求項１６】
前記縦線が設けられたヘッド上面には、フェース直近でヘッドの横幅間に一定の長い長さの細い帯状の横線を設け、その横線と前記縦線を組合せたＴ字形状のマークが設けられたことを特徴とする請求項１〜１５のいずれか１項に記載のパター。（図２３参照）
【請求項１７】
前記マークを設けたヘッドの背面側の上面外形形状は、一定の大きさの縦幅を得るために、一定の大きさの横幅のフェースから背面側に一定の短い縦幅間となる横方向の背面一端位置と、その一端に狭い横幅で連設して背面先端に向って広くなる突起部が形成され、その突起部の少なくとも上面外形形状が一定の広い広さの扇形形状になったことを特徴とする請求項１〜１２又は１５、又は１６のいずれかに記載のパター。
（図７〜図９、図１８、図２２〜図２５、図２９、図３０、図３５、図３６参照）
【請求項１８】
前記背面一端に連設して設けられる突起部の形状は、直角にクロスする二つの対角線を持ち、前記ライン軸上の一方の対角線は、その対角線の一端となる背面先端部の角と、その角に正対するフェース方向の背面一端に、任意の横幅を持って連設する形状で、その連設部と前記背面先端部の角とを結んだ対角線と、フェースと平行なもう一方の対角線は一対の角を結んだ構成で形成され、その突起部の少なくとも上面の外形形状が四角形状の変形からなる変形四角形状となって、前記ヘッド上面に一定の大きさの縦幅を形成した構成にしたことを特徴とする請求項１７に記載のパター。（図１０、図３１参照）
【請求項１９】
前記変形四角形状の突起部は、変形菱形形状となったことを特徴とする請求項１８記載のパター。（図１１、図１２参照）
【請求項２０】
前記ヘッド上面に設けられたマークは、ヘッド本体に着脱自在な構成で設けられたことを特徴とする請求項１１〜１９のいずれか１項に記載のパター。（図３９〜図４２参照）
【請求項２１】
前記着脱自在に設けられるマークは、シート状になってヘッド上面に取り付けられる構成になったことを特徴とする請求項２０記載のパター。（図３９参照）
【請求項２２】
前記着脱自在に設けられるマークは、ヘッドの構造体の一部をセパレート構造にし、そのセパレート構造体の上面に設けられたことを特徴とする請求項２０又は２１のいずれか１項に記載のパター。（図４０〜図４２参照）
【請求項２３】
前記着脱自在に設けられるセパレート構造のマークは、ヘッド本体に吸着して取り付けられる構成になったことを特徴とする請求項２０〜２２のいずれか１項に記載のパター。
（図４１、図４２参照）
【発明の詳細な説明】
【技術分野】
【０００１】
本発明は、パッティングラインに合せ易くまたそのライン方向にスムーズにストロークするイメージの向上を図ったパターのヘッドに関するものである。
【背景技術】
【０００２】
ヘッドの構造の基本となる横方向のフェースと縦方向に一定の大きさの縦幅を有する構造のヘッドで、フェース直角にフェースのインパクトエリアの中心を通るフェースから背面先端間の通り芯（ライン軸）上にライン方向を示す帯状の棒線マークや任意の形状の構造マーク又は着色マークなどをヘッド上面に設けた構造又はライン方向を示す構造体部を有する形状からなる。（図３〜図５参照）
【０００３】
すなわち従来のパターの内、横線を重視した典型がＬ型又はＴ字型のパターで、無駄のないシンプルな形状である。またやや縦方向を強めたものに蒲鉾型など背面外形がゆるい円弧などの形状になり、そのヘッド上面に棒線などの細い縦線マークが１本又は複数本設けられたものなどがある。そして、縦方向を更に強調した一般的なヘッド構造では、図３〜５で示すフェースから背面側に一定の大きい大きさの縦幅を備え、その縦幅内にライン方向を示す同じ大きさのボールマークを並べた模様マークや棒状の着色又は溝に着色した縦線マークあるいは、図５のように縦長い帯状の構造線を持った構成などから形成されている。（図３〜図５参照）
【０００４】
しかし、前記縦方向を強調したマークや構造線がライン方向と平行で縦方向に長く鮮明な程、ラインに合せ易い利点があるが反面ストロークの基本となるラインに平行に真っ直ぐ引いて真っ直ぐ出すというイメージ動作に対し、実際にはテークバックやフォロースルーを大きくする程円弧軌道になりやすい。その場合前記ヘッドの平行部が長く鮮明な程ライン方向に対する傾きが大きくその傾きを視覚で認識しやすくなる。よって、その傾きによりヘッドの揺れる感じが強く感じられライン方向に平行にストロークするイメージを害する欠点が生じるものである。（図３、図４参照）
【０００５】
たとえば、図３で示す構成では、ヘッドの背面側の外形形状に一定の長さのライン方向と平行となる構造線が形成されている。そして、そのヘッド上面に設けられているボールマークの外辺を縦方向に結ぶ線はライン方向と平行になっている。よって、円弧軌道のスイングの場合、前記平行線部が傾きヘッドの揺れる感じの原因となっている。そして、ボールマークの並びによるライン方向の示し方では、ライン方向がやや漠然としたものになる。
【０００６】
また、図４ではヘッドの外形形状はラインと平行となる平行部を設けない半円又は半楕円形状にすると必然的にヘッドが大きくなりややスマートさに欠ける構造となった。そして、ライン方向を示す細長の縦線マークにするとライン方向を示しやすくなるがまた一方では、そのマークの傾きを感じ取りやすくする構造になっている。そして、その傾く感じを抑える為、縦線マークはヘッドの地肌の色に対し余り目立たない構成とし、そして、そのマークの両側にはライン方向に対し斜め向きとなる形状のくぼみマーク又は開口マークを設けている。しかしながらこの方法では、縦線マークは鮮明さを欠きライン方向をよりはっきりと示し難く、
特に悪天候や夕暮時などでは、ライン方向を更に示しにくくする問題点があった。また、くぼみや開口マークの構造が縦線の長さ方向に沿った部分が少なく色彩も鮮明さに欠けるため、後述する本案のぼかしマークによるスイング中の縦線マークの傾きを感じさせない効果を得るには不十分な構成であった。
【０００７】
また、図５ではライン方向を示す帯状部を持つ縦長構造の縦線は、ヘッドと一体構造でヘッドの地肌と同色の一定の広い横幅形状であるため、やや漠然としたライン方向を示す構成になっている。そして、背面側のヘッドの横幅間に形成されるヘッドの外形形状の山形形状の構成では、外形線がラインと平行でないため、ヘッドの構造による揺れる感じを一定の範囲で抑える効果が得られるが必然的に大きなヘッド構造となりスマートさに欠ける構成になっている。更に縦線の両側に設けられているヘッドの地肌と同色のくぼみマーク又は開口マークは、縦線に対し鮮明さに欠けるため、後述する理由によりヘッドの揺れる感じを抑える効果が得られにくい構成になっている。
【０００８】
そして、前記鮮明さに欠けるヘッドのマーク構成では、スイング中にスイートスポット又はその近くの軌道を把握するのに適さないものであった。また、前記ライン方向を示すマークや構造線はヘッドに一体構造に設けられている為、後述する本案の安価にマークの異なる複数のパターを得る為のセパレート構造にするのに不向きな構成であった。
【０００９】
したがって、以上の構成から、ヘッドの地肌の色に影響されずに一定の長い長さで鮮明な縦線と、その縦線のスイング中の傾きを感じさせないパターを得るのが困難であった。
【発明の開示】
【発明が解決しようとする課題】
【００１０】
解決しようとする問題点は、ヘッド上面にライン方向を示す細い帯状で一定の長い長さの縦線を備えたヘッドで、その縦線をラインに合せ易くするため鮮明にした場合において、図４で示すように円弧軌道になった場合、ライン方向に対するマークの傾きをスイング中に分りずらくしてヘッドの揺れる感じを抑制するのが困難な点である。
【００１１】
たとえば、前記ヘッドの揺れの主な原因となる縦線の傾きを分りずらくする為図４で示すように縦線を挟んだ両側に設けられるヘッドの地肌の色と同色の楕円形状のくぼみ又は開口マークでは、縦線に沿った部分が小さくまた鮮明さに欠けるためヘッドの揺れる感じを抑制する後述する本案のぼかしマークの役目を果たすには不十分な構成である。
【００１２】
そして、前記縦線やくぼみなどのぼかしマークをヘッドの地肌の色に影響されずに鮮明にするのは困難であった。たとえば、マークの色を白又又は黄色にするとヘッドの色は黒など特定の色にヘッド全体が限定される点である。（図３４〜図３８参照）
【００１３】
また、ヘッドのスイートスポット又はその近くでボールを捕えるスムーズなスイングイメージを高めるパッティングにおいて、そのスイートスポット又はその近くの軌道をヘッドの揺れを感じないイメージで目視確認が可能な鮮明なマーク形状が得られにくい点である。
（図１、図２参照）
【００１４】
また、ヘッド上面に鮮明な横線と縦線を得るためＴ字形状のマークを設ける場合において障害となる縦方向のマークのスイング中の傾きを感じられにくくするのが困難な点である。すなわち縦方向のマークの傾きが視認されやすくなると、横方向のマークのライン直角に対する傾きが感じとり易くなりスムーズなストロークのイメージを損う問題が発生する。
（図２、図２３参照）
【００１５】
また、ヘッド上面にクロス形状のマークを設ける場合において、そのクロスマークを設けるのに適したコンパクトな構造のヘッドを得ることができない点である。
（図２０、図３７、図３８参照）
【００１６】
したがって、縦線や本案のクロス状の縦線や横線及びぼかしマークをヘッドの地肌の色に影響されずに鮮明な状態で得るには、前記各マークを鮮明な配色にする一定の広い広さで配色自由な外マークとなる下地マークが必要となる問題点が生ずる。そして、その下地マークを設けるのに適したヘッド構造が得られにくい点である。（図２７〜図３３参照）
【００１７】
また、パターの製造コストを抑制するため、ヘッド上面に設けられるマークをセパレート構造にするには不向きな一体構造になっている点である。（図３４〜図４２参照）
【課題を解決するための手段】
【００１８】
本発明は、ライン方向を示す縦線をを鮮明にし、その傾きをスイング中においては分りにくくするため縦線の廻り又は縦線を挟んだ両側に任意の形状で一定の広さの鮮明な別のマーク（ぼかしマーク）を設け、そのぼかしマークの形状は図１、図２で示すスイング中の縦線の傾きによるヘッドの揺れる感じを抑えるため、主にマークの外形形状の直線の縦方向の向きをライン軸（ライン）方向に対し平行となる部分を極力設けない斜め向きとしたことを最も主要な特徴としている。
（図１３、図１４、図１６〜図２０、図２３〜図２６、図３４〜図３８参照）
【００１９】
また、ぼかしマークは、複数の大きさの異なるマークの組合せからなり、複数のマークの外辺を縦方向に結ぶ線方向は、ライン軸（ライン）方向に対し斜め向きの配列になっている。
（図１５、図２１、図２２参照）
【００２０】
そして、前記縦線及びぼかしマークをヘッドの地肌の色に影響されずに鮮明にするため、
ヘッド上面にはライン軸を挟んで対称に一方の狭い横幅からもう一方側の縦方向に広がる一定の広い広さの扇状の下地マークが設けられ、そのマークの上面内には内マークとなる前記縦線及びぼかしマークが設けられている。（図３４〜図３６参照）
【００２１】
また、下地マークの形状は、四角形状の内正方形状（図３１）又は横長の菱形状（図３２）又は縦長の菱形状（図３３）となり、そのマークの上面には内マークとなる縦線と横線及びぼかしマークとなる菱形のリングマークが設けられる構成となっている。
（図３７、図３８参照）
【００２２】
そして、前記縦線及びぼかしマークを鮮明にするため、たとえば下地マークの下地を黒色とし他の内マークを白又は黄色などの明るい配色にすると、最も鮮明なマークにする組合せと考えられる。また、前記と逆の配色構成でも同じ効果を生む組合せとなる。
図３４〜図３８参照）
【００２３】
また、一定の大きさの縦幅を設けたヘッドで揺れる感じを抑えるコンパクトな構造とするため、ヘッドの背面側に設けられる突起部の外形形状は、前記下地マークの背面側の一部外形形状と同一（図３１、図３７）か又はそれよりやや大きい同型の外形形状となっている。
（図２７〜図３０、図３２〜〜図３６、図３８参照）
【００２４】
また、ヘッド本体の構造を変えずに又は大きく変えずに様々な種類のマークをヘッドに設けやすくするため、マークを薄いシート状又は一定の厚みの板状とし、ヘッド上面に貼り付け又はマグネットによる吸着取り付けのセパレート構造にしている。（図３９〜図４２参照）
そして、前記吸着取り付けでは、ヘッド本体に下地マークを収納するくぼみを設け、そのくぼみ内にマグネットを具備している。そして、くぼみ内にマークの着脱を容易にする底面側に貫通するマーク取り外し用の穴が形成されている。（図４１、図４２参照）
【発明の効果】
【００２５】
本発明のパターのヘッドは、ヘッドのライン軸上に設けられるラインと平行方向となる縦線とその縦線に一定の隙間をおいて隣接して設けられる鮮明な任意の形状のぼかしマークにより、図１、図２で示すようにヘッドが円弧軌道でスイングされた場合ライン方向に対し傾く縦線をぼかしマークの目立ち方を大きくすることにより、縦線の傾きを目立たないようにしてヘッドの揺れる感じを抑制し、スムーズなスイングイメージの向上を図っている。
すなわち、アドレス時においてぼかしマークの外形線の向きは元々斜め向きであるため、スイング中の斜め線の傾きの変化は感じ取りにくく、ぼかしマーク自身の揺れの感じは小さなものである。よって、その感じ取りにくさを利用して前記の様な効果を生むのを最大の利点としている。
【００２６】
また、ヘッド上面に下地マークを設けることにより、ヘッドの地肌の色に影響されず少なくとも２色の組合せによりコンパクトな形状と広さで縦線及びぼかしマークを鮮明にすることを可能にし、下地マークの外形形状において、ライン軸（ライン）と平行となる部分を設けないことにより、下地マーク自身のスイング中の揺れる感じを抑制している。
【００２７】
また、ぼかしマークを鮮明に目立つようにすることにより、スイング中にスイートスポット位置を感じ取りやすくなる。特に図２３、図２４、図２５、図３５、図３６では、背面側の広いマーク構成からスイートスポット近くで狭くなるため、目線がスイートスポット近くに集中する作用が働きパッティングの集中度を高める効果が生ずるものである。
【００２８】
また、図２６では背面側よりフェース側に向って広がる形状のマークであるため、スイートスポット近くでボールを包み込むイメージとなり、パッティングにやさしさと安心感を持たせるものになっている。
【００２９】
また、たとえば図２３で示すように背面先端部では縦線からぼかしマークが離れ過ぎるとその部分では縦線の傾きに対しぼかしマークの効果が小さくなる。よって、スポットマークはそれを防ぐ役目をしている。
【００３０】
また、図１６で示すように縦線を挟んだぼかしマークがＳ字状など縦線を挟んで対称とならない不規則な形状であっても縦線の傾きを抑制する効果が得られるものである。
したがって、様々なデザインでユニークなぼかしマークが考えられやすいものとなっている。
【００３１】
また、図２０、図３８で示す横長の菱形状のマーク構成にすると、従来の横線となるフェースとその後方の菱形の対角線に設けられた横線の２つの横線でラインに合せ易くする効果を生むとともに、２つの横線でボールを捕えるイメージでストロークすると、フェース後方のより鮮明な横線の目立ち方により、その横線を長く視界に残すことによって、ボールに対する目線の離れを遅らせいわゆるヘッドアップを防ぐ効果と、ストローク中にフェースをライン直角に保つイメージの向上を図れる利点がある。
【００３２】
また、図３７で示す縦長い菱形状のマーク構成では、一定の長い長さの縦線と短い横線及びぼかしマークが得られ、直角にクロスする２つの線方向でラインに合せ易くする最もコンパクトなヘッド構造になっている。
【００３３】
また、ぼかしマークを一定の太い線幅のリング状又はＶ字状にして下地マークの地肌の色とぼかしマークの色の組合せを黒と白など反対色にして、一定の強い目立ち方を得るとともに、ぼかしマークの外形線と内形線をライン軸（ライン）方向に対し斜め向きとして縦線及び横線をより鮮明に分り易くしながらぼかし効果を高める働きをするものにしている。
【００３４】
また、ヘッドの形状の内背面側の突起部の形状をぼかしマーク及び下地マークの背面側の外形形状と同一か又はそれに近い形状にすると、ヘッド自身の形状によるヘッドの揺れる感じを抑えたコンパクトな構造にする利点がある。
【００３５】
また、ヘッド上面に設けるマークをセパレート構成にすると、ヘッド本体に様々なマークの取り替えが容易となり、コストの大部分を占める本体を大きく変えることなくマークを取り替えるだけで複数のパターをコスト安く得ることが可能となる。そして、下地マークはシンプルで安価に製造可能な形状であるため、リスクを抑えて様々なマークのデザインにトライすることが容易となる。
【００３６】
そして、下地マークの内薄いシート状のものでは最も安価に製作できる。また、吸着取り付け構成では、取り付け取り外しが最も容易となるものである。
【発明を実施するための最良の形態】
【００３７】
より鮮明な縦線を得る為、たとえば白色で形成された縦線廻りの隣接部は黒色などの暗い配色とし、その縦線廻りの明るい白などで形成されたぼかしマークが直接縦線に隣接しない構成とする。（図３４〜図３８参照）
【実施例１】
【００３８】
図１では、後述する図３４で示すパター１ｍを用いてのスイングで、ヘッドの背面側２５の山形形状の突起部２０ａの外形線６５と、ヘッド上面２１に設けられている扇状の内マーク付き下地マーク５１ｂの外形線６６ｂ及びその下地マーク５１ｂ内に設けられている変形菱形状のリングマーク４５ｅの外形線６６ａの各線方向は、アドレス時において、ライン９０方向に対し斜め向きの構成となっている。そして、テークバック及びフォロースルー時の軌道９１上においても前記各線６５、６６ａ、６６ｂの向きは、ライン９０に対し斜め向きとなる。そして、内マーク付き下地マーク５１ｂの縦長さ間には細い帯状の縦線３１が設けられている。
【実施例２】
【００３９】
図２では、後述する図２３で示すパター２ｇを用いてのスイングで、ヘッドの背面側２５の扇状の突起部２０ｄの外形線６５と、ヘッド上面２１に設けられているＶ字状のＶ字マーク４７の外形線６６ａの各線の方向は、アドレス時において、ライン９０方向に対し斜め向きの構成となっている。そして、テークバック及びフォロースルー時の軌道９１上においても、前記各線６５、６６ａの向きは、ライン９０に対し斜め向きとなる。そして、フェース直近に設けられている横線３２と縦線３１でＴ字状の線マークを形成し、ライン９０に合せ易くしている。
【実施例３】
【００４０】
図３では、既存のパター４の実施例を示し、ヘッド１４の背面側２５の外形線６５とヘッド上面２１に設けられている２個のボールマーク６１の外辺を結ぶ外辺結び線６７の向きは、アドレス時において、ライン９０と平行となる構成で形成され、テークバックやフォロースルー時において、前記各線６５、６７の向きは、ライン９０に対し軌道９１上で同じ方向の斜め向きとなっている。
【実施例４】
【００４１】
図４では、既存のパター５の実施例を示し、半円形状の大きなヘッド１５のヘッド上面２１には、アドレス時において、ライン９０と平行となる帯状の縦線３１と、その縦線３１を挟んだ両側に楕円形状のくぼみ又は開口からなる構造マーク６２がフェース２２側にやや開いた八の字形状に配置された構成で形成され、テークバックやフォロースルー時において、前記縦線３１の向きは、ライン９０に対し軌道９１上で斜め向きとなっている。
【実施例５】
【００４２】
図５では、既存のパター６の実施例を示し、ヘッド１６の背面側２５の山形形状の外形線６５とフェース２２直角にインパクトエリアの中心２３から背面先端間のライン軸２４を挟んで設けられているくぼみ又は開口からなる三角形状の構造マーク５９の外側１辺の外形線６５ａはライン軸２４に対し対称の斜め向きとなっている。そして、ライン軸２４上には一定の広い横幅の帯状の縦構造線６０が設けられたヘッド構成になっている。
【実施例６】
【００４３】
図６では、パター１ａのヘッド１１ａの背面一端２６から背面側２５に設けられる突起部２０ａの少なくともヘッド上面２１の外形形状は、背面一端２６部の横幅３０ａから先絞り形状の山形形状となっている。そして、ヘッドのフェース２２のインパクトエリアの中心２３から、フェース２２直角に突起部２０ａの先端間にライン軸２４が構成され、そのライン軸２４を挟んで、前記山形形状の突起部２０ａは対称となっている。よって、山形形状の突起部２０ａの外形線６５の向きは、ライン軸２４方向に対し斜め向きの構成となっている。
【実施例７】
【００４４】
図７では、パター２ａのヘッド１２ａの背面一端２６から背面側２５に設けられる突起部２０ｂの少なくともヘッド上面２１の外形形状は、末広がりで端部が半円状の扇形形状となり、ヘッドの背面一端２６に横幅３０ｂ間で連設して設けられ、フェース２２のインパクトエリアの中心２３から、フェース２２直角に背面先端間にライン軸２４が構成され、そのライン軸２４を挟んで、前記扇形形状の突起部２０ｂは対称となっている。よって、扇形形状の外形線６５の向きは、ライン軸２４方向に対し斜め向きの構成となっている。
【実施例８】
【００４５】
図８では、パター２ｂのヘッド１２ｂの背面一端２６から背面側２５に設けられる突起部２０ｃのヘッド上面２１の外形形状は、末広がりで端部が円弧形状の扇形形状となり、ヘッドの背面一端２６に横幅３０ｃ間で連設して設けられ、フェース２２のインパクトエリアの中心２３から、フェース２２直角に背面先端間にライン軸２４が構成され、そのライン軸２４を挟んで、前記扇形形状の突起部２０ｃは対称となっている。よって、扇形形状の外形線６５の向きは、ライン軸２４方向に対し斜め向きの構成となっている。
【実施例９】
【００４６】
図９では、パター２ｃのヘッド１２ｃの背面一端２６から背面側２５に設けられる突起部２０ｄのヘッド上面２１の外形形状は、末広がりで端部がゆるい山形となった扇形形状となり、ヘッドの背面一端２６に横幅３０ｄ間で連設して設けられ、フェース２２のインパクトエリアの中心２３から、フェース２２直角に背面先端間にライン軸２４が構成され、そのライン軸２４を挟んで、前記扇形形状の突起部２０ｄは対称となっている。よって、扇形形状の外形線６５の向きは、ライン軸２４方向に対し斜め向きの構成となっている。
【実施例１０】
【００４７】
図１０では、パター３ａのヘッド１３ａの背面一端２６から背面側２５に設けられる突起部２０ｅのヘッド上面２１の外形形状は、直角にクロスする対角線を有する四角形状の内、３つの角と縦方向の対角線直角に形成される横幅３０ｅを持った構成の変形四角形状となり、ヘッドの背面一端２６に前記横幅３０ｅ間で連設して設けられ、フェース２２のインパクトエリアの中心２３から、フェース２２直角に背面先端間にライン軸２４が構成され、そのライン軸２４上に前記変形四角形状の縦方向の対角線が重なった構成で、背面側２５の４辺の外形線６５の向きは、前記ライン軸２４方向に対し斜め向きとなっている。
【実施例１１】
【００４８】
図１１では、パター３ｂのヘッド１３ｂの背面一端２６から背面側２５に設けられる突起部２０ｆのヘッド上面２１の外形形状は、直角にクロスする対角線を有する菱形形状の内、３つの角と縦方向の長い対角線直角に形成される広い横幅３０ｆを持った構成の変形菱形形状となり、ヘッドの背面一端２６に前記横幅３０ｆ間で連設して設けられ、フェース２２のインパクトエリアの中心２３から、ライン軸２４上に前記変形菱形形状の長い方の対角線が重なった構成で、背面側２５の４辺の外形線６５の向きは、前記ライン軸２４方向に対し斜め向きとなっている。
【実施例１２】
【００４９】
図１２では、パター３ｃのヘッド１３ｃの背面一端２６から背面側２５に設けられる突起部２０ｇのヘッド上面２１の外形形状は、直角にクロスする対角線を有する菱形形状の内、３つの角と縦方向の短い対角線直角に形成される広い横幅３０ｇを持った構成の変形菱形形状となり、ヘッドの背面一端２６に前記横幅３０ｇ間で連設して設けられ、フェース２２のインパクトエリアの中心２３から、ライン軸２４上に前記変形菱形形状の短い対角線が重なった構成で、背面側２５の４辺の外形線６５の向きは、前記ライン軸２４方向に対し斜め向きとなっている。
【実施例１３】
【００５０】
図１３では、図６のパター１ａの変形例を示し、ライン軸２４上にフェース２２側の大きな横幅から背面先端側に向って小さい横幅となる縦長マーク４０が設けられ、更にその縦長マーク４０の中心のライン軸２４上には、ヘッド１１ｂの縦長さ間に細い帯状の縦線３１が縦長マーク４０を分割状態に具備されてパター１ｂを形成している。よって、縦長マーク４０の外形線６６ａの向きは、ライン軸２４方向に対し対称の斜め向きの構成となっている。
【実施例１４】
【００５１】
図１４では、図６のパター１ａの変形例を示し、ライン軸２４上に両端の狭い横幅から中央側に向って広くなる形状の縦長マーク４１が設けられ、更にその縦長マーク４１の中心のライン軸２４には、ヘッド１１ｃの縦長さ間に渡って細い帯状の縦線３１が縦長マーク４１を分割状態に具備されてパター１ｃを形成している。よって、縦長マーク４１の外形線６６ａの向きは、ライン軸２４方向に対し対称の斜め向きの構成となっている。
【実施例１５】
【００５２】
図１５では、図６のパター１ａの変形例を示し、ライン軸２４上にフェース２２側の大きな丸円形と背面先端側の小さな丸円形からなる円模様のマーク４２が設けられ、更にそのマーク４２の中心となるライン軸２４上には、ヘッド１１ｄの縦長さ間に渡って細い帯状の縦線３１が円模様のマーク４２を分割状態に具備されてパター１ｄを形成している。よって、大小の丸円形の外辺を結ぶ外辺結び線６７の向きは、ライン軸２４方向に対し対称の斜め向きの構成となっている。
【実施例１６】
【００５３】
図１６では、図６のパター１ａの変形例を示し、ライン軸２４上にフェース２２側の広い横幅から背面先端に向って狭くなる横幅の肉太のＳ字形状のＳ字マーク４３が縦長のＳ字状となる形状で設けられ、更にそのマーク４３の略中心となるライン軸２４上には、ヘッド１１ｅの縦長さ間に渡って細い帯状の縦線３１がＳ字マーク４３を分割状態に具備されてパター１ｅを形成している。よって、そのＳ字マーク４３の外形線６６ａの向きは、ライン軸２４方向に対し不規則な斜め向きの構成になっている。
【実施例１７】
【００５４】
図１７では、図６のパター１ａの変形例を示し、ライン軸２４上にフェース２２側の広い横幅から背面先端側に向って狭くなる横幅で一定の太い線幅からなる扇状のリングマーク４４ａが設けられ、更にそのマーク４４ａの中心となるライン軸２４上には、ヘッド１１ｆの縦長さ間に渡って細い帯状の縦線３１がリングマーク４４ａを分割状態に具備されてパター１ｆを形成している。よって、リングマーク４４ａの外形線６６ａの向きは、ライン軸２４方向に対し対称の斜め向きの構成となっている。
【実施例１８】
【００５５】
図１８では、図７のパター２ａの変形例を示し、ライン軸２４上には、フェース２２側の狭い横幅から背面先端側に向って広くなる横幅で一定の太い線幅からなる扇状のリングマーク４４ｂが設けられ、更にそのマーク４４ｂの中心となるライン軸２４上には、ヘッド１２ｄの縦長さ間に渡って細い帯状の縦線３１がリングマーク４４ｂを分割状態に具備されてパター２ｄを形成している。よって、リングマーク４４ｂの外形線６６ａの向きは、ライン軸２４方向に対し対称の斜め向きの構成となっている。
【実施例１９】
【００５６】
図１９では、図６のパター１ａの変形例を示し、ライン軸２４上に菱形状で一定の太い線幅の縦長いリングマーク４５ａが設けられ、更にそのマーク４５ａの中心となるライン軸２４上には、ヘッド１１ｇの縦長さ間に渡って細い帯状の縦線３１がリングマーク４５ａを分割状態に具備されてパター１ｇを形成している。よって、リングマーク４５ａの外形線６６ａの向きは、ライン軸２４方向に対し対称の斜め向きの構成となっている。
【実施例２０】
【００５７】
図２０では、図１２のパター３ｃの変形例を示し、ライン軸２４に菱形状で一定の太い線幅の横長いリングマーク４５ｃが設けられ、更にそのマーク４５ｃの直角にクロスする対角線上には、ライン軸２４上の細い帯状の縦線３１と横線３３がリングマーク４５ｃを４分割状態に具備されてパター３ｄを形成している。よって、リングマーク４５ｃの外形線６６ａの向きは、ライン軸２４方向に対し対称の斜め向きの構成となっている。
【実施例２１】
【００５８】
図２１では、図６のパター１ａの変形例を示し、ライン軸２４上にフェース２２側の丸円状で一定の太い線幅の大きなリングと背面側の小さいリングからなるリング模様のマーク４６ａが設けられ、更にそのマーク４６ａの中心となるライン軸２４上には、ヘッド１１ｈの縦長さ間に渡って細い帯状の縦線３１がリング模様のマーク４６ａを分割状態に具備されてパター１ｈを形成している。よって、大小２個のリングの外辺を結ぶ外辺結び線６７の向きは、ライン軸２４方向に対し対称の斜め向きの構成となっている。
【実施例２２】
【００５９】
図２２では、図７のパター２ａの変形例を示し、ライン軸２４上にフェース２２側の楕円状で一定の太い線幅の小さいリングと背面側の大きなリングからなるリング模様のマーク４６ｂが設けられ、更にそのマーク４６ｂの中心となるライン軸２４上には、ヘッド１２ｆの縦長さ間に渡って細い帯状の縦線３１がリング模様のマーク４６ｂを分割状態に具備されてパター２ｆを形成している。よって、大小２個のリングの外辺を結ぶ外辺結び線６７の向きは、ライン軸２４方向に対し対称の斜め向きの構成になっている。
【実施例２３】
【００６０】
図２３では、図９のパター２ｃの変形例を示し、ライン軸２４上にフェース２２側から背面側に向って広がる一定の太い線幅のＶ字マーク４７が設けられ、背面端部側のライン軸２４を挟んだ両側には任意の形状の小さいスポットマーク５０が配置されている。その前記各マーク４７、５０の縦方向の中心となるライン軸２４上には、細い帯状の縦線３１がＶ字マーク４７を分割状態に設けられ、更にヘッド上面２１でフェース２２直近のフェース２２の横幅間に細い帯状の横線３２からなるＴ字状のマークが具備されてパター２ｇを形成している。よって、Ｖ字マーク４７の外形線６６ａの向きは、ライン軸２４方向に対し対称の斜め向きの構成になっている。
【実施例２４】
【００６１】
図２４では、図７のパター２ａの変形例を示し、ライン軸２４上にフェース２２側から背面側に向って広がる一定の太い線幅からなるＶ字マーク４７が複数設けられ、更にそのマーク４７の中心となるライン軸２４上には、ヘッド１２ｈの縦長さ間に渡って細い帯状の縦線３１がＶ字マーク４７を分割状態に具備されてパター２ｈを形成している。よって、Ｖ字マーク４７の外形線６６ａの向きは、ライン軸２４方向に対し対称の斜め向きの構成となっている。
【実施例２５】
【００６２】
図２５では、図８のパター２ｂの変形例を示し、ライン軸２４を挟んでフェース２２側から背面側に向って広がる任意の太い線幅と一定の長い長さの線状からなる逆ハの字形状のハの字マーク４９ａが設けられ、そのマーク４９ａの中心となるライン軸２４上には、ヘッド１２ｉの縦長さ間に渡って細い帯状の縦線３１が具備されてパター２ｉを形成している。よって、ハの字マーク４９ａの外形線６６ａの向きは、ライン軸２４方向に対し対称の斜め向きの構成になっている。
【実施例２６】
【００６３】
図２６では、図６のパター１ａの変形例を示し、ライン軸２４を挟んで任意の太い線幅と一定の長い長さの線状からなるハの字形状のハの字マーク４９ｂが設けられ、そのマーク４９ｂの中心となるライン軸２４上には、ヘッド１１ｉの縦長さ間に渡って細い帯状の縦線３１が具備されてパター１ｉを形成している。よって、ハの字マーク４９ｂの外形線６６ａの向きは、ライン軸２４方向に対し対称の斜め向きの構成になっている。
【実施例２７】
【００６４】
図２７では、図６のパター１ａの変形例を示し、背面先端部よりフェース２２側に向って広がる一定の広い広さで広がり部の外形が半円状になった扇形状の下地マーク５１ａが設けられ、そのライン軸２４を挟んで対称に設けられた下地マーク５１ａの背面側２５の外形形状は、ヘッド１１ｊの背面側２５の外形形状に沿った形状に具備されてパター１ｊを形成している。
【実施例２８】
【００６５】
図２８では、図２７のパター１ｉの変形例を示し、ライン軸２４を挟んで対称に設けられた扇状の形状は、フェース２２側が山形形状となる形状の下地マーク５２が具備されてパター１ｋを形成している。
【実施例２９】
【００６６】
図２９では、図７のパター２ａの変形例を示し、ライン軸２４を挟んで対称に設けられた扇状の下地マーク５３ａは、フェース２２側より背面側２５に向って広がる一定の広い広さの扇状で、その背面側の外形形状はヘッド１２ｊの背面側２５の外形形状に沿った半円形状の円弧となって、ヘッドに設けられてパター２ｊを形成している。
【実施例３０】
【００６７】
図３０では、図２９のパター２ｊの変形例を示し、ライン軸２４を挟んで対称に設けられた扇状のマークの背面先端側の形状は、ヘッド１２ｋの背面側２５の外形形状に沿った山形形状となった下地マーク５４が設けられてパター２ｋを形成している。
【実施例３１】
【００６８】
図３１では、図１０のパター３ａの変形例を示し、ライン軸２４を挟んで対称に設けられた一定の広い広さの四角状の下地マーク５６の一部外形形状は、ヘッド１３ｅの背面側２５の外形形状と同一の形状に構成されてパター３ｅを形成している。
【実施例３２】
【００６９】
図３２では、図１２のパター３ｃの変形例を示し、ライン軸２４を挟んで対称に設けられた一定の広い広さの横長い菱形状の下地マーク５８ａの一部外形形状は、ヘッド１３ｆの背面側２５の外形形状に沿った形状に構成されてパター３ｆを形成している。
【実施例３３】
【００７０】
図３３では、図１１のパター３ｂの変形例を示し、ライン軸２４を挟んで対称に設けられた一定の広い広さで縦長い菱形状の下地マーク５７ａの一部外形形状は、ヘッド１３ｇの背面側２５の外形形状に沿った形状に構成されてパター３ｇを形成している。
【実施例３４】
【００７１】
図３４では、図２７のパター１ｉの変形例を示し、ヘッド上面２１に設けられた扇状の下地マークには、そのマークの縦方向の中心上に、細い帯状の縦線３１が設けられ、その縦線３１を挟んで対称に一定の太い線幅からなる縦長い変形菱形状のリングマーク４５ｅが配置された内マーク付き下地マーク５１ｂが設けられてパター１ｍを形成している。そして、前記内マーク付き下地マーク５１ｂの広さの内、少なくとも縦線３１とリングマーク４５ｅの着色に対し他の部分は前記縦線３１とリングマーク４５ｅが目立つ配色の構成にしている。たとえば、黒と白色などの組合せにしている。以下後述する図３５、図３６、図３７、図３８においても同じ様な考え方の色の組合せである。
【実施例３５】
【００７２】
図３５では、図２９のパター２ｊの変形例を示し、ヘッド上面２１に設けられた扇状の下地マークには、そのマークの縦方向の中心上に細い帯状の縦線３１が設けられ、その縦線３１を挟んで対称に一定の太い線幅からなるＶ字状のＶ字マーク４７が配置された内マーク付き下地マーク５３ｂが設けられてパター２ｍを形成している。
【実施例３６】
【００７３】
図３６では、図３５の変形例を示し、ヘッド上面２１に設けられた扇状の下地マークには、そのマークの縦方向の中心上に細い帯状の縦線３１が設けられ、その縦線３１を挟んで対称に一定の太い線幅からなるＶ字状のＶ字マーク４７が任意の間隔で複数配置された内マーク付き下地マーク５５ｂが設けられてパター２ｎを形成している。
【実施例３７】
【００７４】
図３７では、図３３のパター３ｇの変形例を示し、縦長の菱形状の下地マーク内には、下地マークの外形形状と同じ形状の一定の太い線幅の菱形状のリングマーク４５ｂが設けられ、その下地マークの直角にクロスする対角線上には、前記リングマーク４５ｂを４分割状態に細い帯状の縦線３１と横線３３が配置された内マーク付き下地マーク５７ｂが設けられてパター３ｈを形成している。前記内マーク付き下地マーク５７ｂの背面側２５の一部外形形状は、ヘッド１３ｈ外形形状と同一の構成となっている。
【実施例３８】
【００７５】
図３８では、図３７のパター３ｈの変形例を示し、図３７の縦長の菱形状の内マーク付き下地マークに対し、短い縦線３１と長い横線３３及び菱形状のリングマーク４５ｃを備えた横長の菱形状の内マーク付き下地マーク５８ｂをヘッド１３ｉのヘッド上面２１に設け、前記下地マーク５８ｂの一部外形形状は、ヘッドの背面側２５の外形形状に沿った構成になってパター３ｉを形成している。
【実施例３９】
【００７６】
図３９では、パター１ｎのヘッド上面に設けられるマークは、着脱自在に貼り付けて取り付けられる薄いシート状のマークシート９４構成になっている。
【実施例４０】
【００７７】
図４０では、パター１ｐのヘッド上面側の一部にくぼみ２７を設け、そのくぼみ部に納まる形状のマーク板９５ａを前記くぼみ２７部に固着する構成にしている。
【実施例４１】
【００７８】
図４１、４２では、パター１ｒのヘッド１１ｒには、ヘッド上面２１の一部にくぼみ２８と、そのくぼみ内にマグネット９３を固着して設け、前記くぼみ部に納まる形状のセパレート構造になった、上面にマークを設けたマーク板９５ｂを前記くぼみ部に吸着取り付けにし、くぼみ部の任意の位置には貫通するマーク取り外し穴９６が具備された構成になっている。
【図面の簡単な説明】
【００７９】
【図１】本発明の使用例を示す軌跡図である。
【図２】本発明の使用例を示す軌跡図である。
【図３】従来のパターの使用例を示す軌跡図である。
【図４】従来のパターの使用例を示す軌跡図である。
【図５】従来のパターの実施例を示す平面図である。
【図６】パターの実施例を示す斜視図である。
【図７】本発明の実施例を示す斜視図である。
【図８】本発明の実施例を示す平面図である。
【図９】本発明の実施例を示す平面図である。
【図１０】本発明の実施例を示す平面図である。
【図１１】本発明の実施例を示す平面図である。
【図１２】本発明の実施例を示す平面図である。
【図１３】本発明の実施例を示す平面図である。
【図１４】本発明の実施例を示す平面図である。
【図１５】本発明の実施例を示す平面図である。
【図１６】本発明の実施例を示す平面図である。
【図１７】本発明の実施例を示す平面図である。
【図１８】本発明の実施例を示す平面図である。
【図１９】本発明の実施例を示す平面図である。
【図２０】本発明の実施例を示す平面図である。
【図２１】本発明の実施例を示す平面図である。
【図２２】本発明の実施例を示す平面図である。
【図２３】本発明の実施例を示す平面図である。
【図２４】本発明の実施例を示す平面図である。
【図２５】本発明の実施例を示す平面図である。
【図２６】本発明の実施例を示す平面図である。
【図２７】本発明の実施例を示す平面図である。
【図２８】本発明の実施例を示す平面図である。
【図２９】本発明の実施例を示す平面図である。
【図３０】本発明の実施例を示す平面図である。
【図３１】本発明の実施例を示す平面図である。
【図３２】本発明の実施例を示す平面図である。
【図３３】本発明の実施例を示す平面図である。
【図３４】本発明の実施例を示す平面図である。
【図３５】本発明の実施例を示す平面図である。
【図３６】本発明の実施例を示す平面図である。
【図３７】本発明の実施例を示す平面図である。
【図３８】本発明の実施例を示す平面図である。
【図３９】本発明の取り付け例を示す斜視図である。
【図４０】本発明の取り付け例を示す斜視図である。
【図４１】本発明の実施例を示す平面図である。
【図４２】図４１のＸ１−Ｘ１線による矢視図である。
【符号の説明】
【００８０】
１ａ ：パター                           １ｂ ：パター
１ｃ ：パター                           １ｄ  ：パター
１ｅ ：パター                           １ｆ  ：パター
１ｇ ：パター                           １ｈ  ：パター
１ｉ  ：パター                           １ｊ  ：パター
１ｋ ：パター                           １ｍ ：パター
１ｎ ：パター                           １ｐ  ：パター
１ｒ ：パター                           ２ａ  ：パター                                              ２ｂ  ：パター                                      ２ｃ  ：パター
２ｄ  ：パター                                      ２ｆ  ：パター
２ｇ  ：パター                           ２ｈ ：パター
２ｉ  ：パター                              ２ｊ ：パター
２ｋ  ：パター                           ２ｍ  ：パター
２ｎ  ：パター                                      ３ａ  ：パター
３ｂ  ：パター                           ３ｃ  ：パター
３ｄ  ：パター                                        ３ｅ  ：パター
３ｆ  ：パター                                        ３ｇ  ：パター
３ｈ  ：パター                                      ３ｉ  ：パター
４    ：パター                                      ５    ：パター
６    ：パター             １１ａ：ヘッド
１１ｂ：ヘッド             １１ｃ：ヘッド
１１ｄ：ヘッド             １１ｅ：ヘッド
１１ｆ：ヘッド             １１ｇ：ヘッド
１１ｈ：ヘッド             １１ｉ：ヘッド
１１ｊ ：ヘッド                         １１ｒ：ヘッド
１２ａ：ヘッド             １２ｂ：ヘッド
１２ｃ：ヘッド             １２ｄ：ヘッド
１２ｆ：ヘッド                      １２ｈ：ヘッド
１２ｉ：ヘッド             １２ｊ：ヘッド
１２ｋ：ヘッド             １３ａ：ヘッド
１３ｂ：ヘッド             １３ｃ：ヘッド
１３ｅ：ヘッド             １３ｆ：ヘッド
１３ｇ：ヘッド             １３ｈ：ヘッド
１３ｉ：ヘッド                                        １４  ：ヘッド
１５  ：ヘッド             １６  ：ヘッド
２０ａ：突起部                                        ２０ｂ：突起部
２０ｃ：突起部             ２０ｄ：突起部
２０ｅ：突起部             ２０ｆ ：突起部
２０ｇ：突起部             ２１  ：ヘッド上面
２２  ：フェース           ２３  ：インパクトエリアの中心
２４  ：ライン軸           ２５  ：背面側
２６  ：背面一端           ２７  ：くぼみ
２８  ：くぼみ             ３０ａ：横幅
３０ｂ：横幅                                        ３０ｃ：横幅
３０ｄ：横幅                                        ３０ｅ：横幅
３０ｆ：横幅                                         ３０ｇ：横幅
３１  ：縦線               ３２  ：横線
３３  ：横線                                        ４０  ：縦長マーク（ぼかしマーク）
４１  ：縦長マーク（ぼかしマーク）                ４２  ：円模様のマーク（ぼかしマーク）
４３  ：Ｓ字マーク（ぼかしマーク）                ４４ａ：リングマーク（ぼかしマーク）
４４ｂ：リングマーク（ぼかしマーク）              ４５ａ：リングマーク（ぼかしマーク）
４５ｂ：リングマーク（ぼかしマーク）              ４５ｃ：リングマーク（ぼかしマーク）
４５ｅ：リングマーク（ぼかしマーク）              ４６ａ：リング模様のマーク（ぼかしマーク）
４６ｂ：リング模様のマーク（ぼかしマーク）  ４７  ：Ｖ字マーク（ぼかしマーク）
４８  ：Ｖ字模様のマーク（ぼかしマーク）        ４９ａ：ハの字マーク（ぼかしマーク）
４９ｂ：ハの字マーク（ぼかしマーク）              ５０  ：スポットマーク（ぼかしマーク） 
５１ａ：下地マーク         ５１ｂ：内マーク付き下地マーク
５２  ：下地マーク         ５３ａ：下地マーク
５３ｂ：内マーク付き下地マーク                ５４  ：下地マーク
５５ａ：下地マーク         ５５ｂ：内マーク付き下地マーク
５６  ：下地マーク         ５７ａ：下地マーク
５７ｂ：内マーク付き下地マーク                ５８ａ：下地マーク
５８ｂ：内マーク付き下地マーク                ５９  ：構造マーク
６０  ：縦構造線           ６１  ：ボールマーク
６２  ：構造マーク                                    ６５  ：外形線
６５ａ：外形線                                        ６６ａ：外形線
６６ｂ：外形線             ６７  ：外辺結び線
９０  ：ライン             ９１  ：軌道
９３  ：マグネット                                ９４  ：マークシート
９５ａ：マーク板                              ９５ｂ：マーク板
９６  ：マーク取り外し穴
【図１】
2006021025.tif 000003
【図２】
2006021025.tif 000004
【図３】
2006021025.tif 000005
【図４】
2006021025.tif 000006
【図５】
2006021025.tif 000007
【図６】
2006021025.tif 000008
【図７】
2006021025.tif 000009
【図８】
2006021025.tif 000010
【図９】
2006021025.tif 000011
【図１０】
2006021025.tif 000012
【図１１】
2006021025.tif 000013
【図１２】
2006021025.tif 000014
【図１３】
2006021025.tif 000015
【図１４】
2006021025.tif 000016
【図１５】
2006021025.tif 000017
【図１６】
2006021025.tif 000018
【図１７】
2006021025.tif 000019
【図１８】
2006021025.tif 000020
【図１９】
2006021025.tif 000021
【図２０】
2006021025.tif 000022
【図２１】
2006021025.tif 000023
【図２２】
2006021025.tif 000024
【図２３】
2006021025.tif 000025
【図２４】
2006021025.tif 000026
【図２５】
2006021025.tif 000027
【図２６】
2006021025.tif 000028
【図２７】
2006021025.tif 000029
【図２８】
2006021025.tif 000030
【図２９】
2006021025.tif 000031
【図３０】
2006021025.tif 000032
【図３１】
2006021025.tif 000033
【図３２】
2006021025.tif 000034
【図３３】
2006021025.tif 000035
【図３４】
2006021025.tif 000036
【図３５】
2006021025.tif 000037
【図３６】
2006021025.tif 000038
【図３７】
2006021025.tif 000039
【図３８】
2006021025.tif 000040
【図３９】
2006021025.tif 000041
【図４０】
2006021025.tif 000042
【図４１】
2006021025.tif 000043
【図４２】
2006021025.tif 000044